(57)【要約】【課題】  その着脱を容易に行うことができ、食品の販売時等に好適に使用可能な使い捨て型の手袋を提供する。【解決手段】  手袋は、プラスチックフィルムより構成されミトンタイプの形状を有する使い捨ての袋部材１と、手が挿入可能な開口部を有する環状のプラスチック製のリング部材２とを備える。袋部材１の手の挿入部付近には、袋状の凹部を形成するための突出部４が、一対、形成されている。リング部材２の開口部は、そこに挿入する手のひらの断面形状に対応する方向を向く略楕円状の形状を有する。そして、このリング部材２には、袋部材１の突出部４により形成された袋状の凹部と係合するための一対の凸部５が形成されている。また、このリング部材２には、一対の磁石３が付設されている。【選択図】        図１
0003157860.tif 000002
【実用新案登録請求の範囲】
【請求項１】
プラスチックフィルムより構成され、ミトンタイプの形状を有する使い捨ての袋部材と、
手が挿入可能な開口部を有する環状のプラスチック製のリング部材とを備え、
前記リング部材には、前記袋部材と係合するための凸部が形成されるとともに、
前記袋部材における手の挿入口付近には、前記リング部材の凸部と係合可能な係合部が形成され、
前記リング部材は、当該リング部材における凸部と前記袋部材における係合部とを係合させることにより、前記袋部材における手の挿入口付近の内周面に対して着脱自在である手袋。
【請求項２】
請求項１に記載の手袋において、
前記リング部材の開口部は、そこに挿入する手のひらの断面形状に対応する方向を向く略楕円状の形状を有し、
前記凸部は、前記リング部材の開口部を形成する略楕円形状の頂部において楕円の長軸方向に一対形成される手袋。
【請求項３】
請求項２に記載の手袋において、
前記袋部材における係合部は、前記凸部が挿入可能な袋状の凹部である手袋。
【請求項４】
請求項１乃至請求項３のいずれかに記載の手袋において、
前記リング部材には磁石が付設される手袋。
【請求項５】
請求項４に記載の手袋において、
前記磁石は、前記リング部材の開口部を形成する略楕円形状の短軸方向の位置に一対付設される手袋。
【考案の詳細な説明】
【技術分野】
【０００１】
この考案は手袋に関し、特に、プラスチックフィルムを利用した使い捨て型の手袋に関する。
【背景技術】
【０００２】
このような使い捨て型の手袋は、例えば、病院で医師、看護婦、検査技師等の医療従事者が疾病の感染防止のために使用したり、食品の販売店や製造工場で使用されたり、あるいは、ペットの糞などの汚物を処理したりする場合に使用されている（例えば、特許文献１参照）。
【０００３】
ところで、このような手袋を、例えば、パンの販売店等において販売員が使用する場合には、販売作業に対応して、手袋をはめたり外したりする脱着操作をたびたび繰り返す必要がある。このため、例え、使い捨て型の手袋であったとしても、脱着する毎に手袋を廃棄することはせず、同じ手袋を何度か使用している。
【０００４】
このように、手袋をはめたり外したりの脱着操作をたびたび繰り返す必要がある場合には、５本指タイプのものではなく、親指とその他の指とをそれぞれ異なる袋部に挿入するミトンタイプの形状を有するものが使用される。
【０００５】
なお、手と腕とをカバーする大きさを有し、手の挿入口に枠を付設することにより、そのまま裏返してゴミ袋となす事が可能な廃棄物処理用手袋も提案されている（特許文献２参照）。
【先行技術文献】
【特許文献】
【０００６】
【特許文献１】特開２００４−１５６１５５号公報
【特許文献１】特開２００５−１８８００２号公報
【考案の概要】
【考案が解決しようとする課題】
【０００７】
上述したように、このような手袋を、例えば、パンの販売店等において販売員が使用する場合には、販売作業に対応して手袋をはめたり外したりの脱着操作をたびたび繰り返す必要があるが、手袋自体が薄いプラスチックフィルムでできていることから、フィルム同士が静電気等で引き合って開口部の剥離が困難になることから、ミトンタイプのものを使用したとしても、その着脱が困難となる。
【０００８】
また、このような場合には、使い捨て型の手袋であったとしても、脱着する毎に手袋を廃棄することはせず、同じ手袋を何度か使用しているが、手袋自体が薄いプラスチックでできていることから、風等により容易に吹き飛ばされてしまうという問題も生ずる。
【０００９】
この考案は上記課題を解決するためになされたものであり、その着脱を容易に行うことができ、食品の販売時等に好適に使用可能な使い捨て型の手袋を提供することを目的とする。
【課題を解決するための手段】
【００１０】
請求項１に記載の考案は、プラスチックフィルムより構成され、ミトンタイプの形状を有する使い捨ての袋部材と、手が挿入可能な開口部を有する環状のプラスチック製のリング部材とを備え、前記リング部材には、前記袋部材と係合するための凸部が形成されるとともに、前記袋部材における手の挿入口付近には、前記リング部材の凸部と係合可能な係合部が形成され、前記リング部材は、当該リング部材における凸部と前記袋部材における係合部とを係合させることにより、前記袋部材における手の挿入口付近の内周面に対して着脱自在である。
【００１１】
請求項２に記載の考案は、請求項１に記載の考案において、前記リング部材の開口部は、そこに挿入する手のひらの断面形状に対応する方向を向く略楕円状の形状を有し、前記凸部は、前記リング部材の開口部を形成する略楕円形状の頂部において楕円の長軸方向に一対形成される。
【００１２】
請求項３に記載の考案は、請求項２に記載の考案において、前記袋部材における係合部は、前記凸部が挿入可能な袋状の凹部である。
【００１３】
請求項４に記載の考案は、請求項１乃至請求項３のいずれかに記載の考案において、前記リング部材には磁石が付設される。
【００１４】
請求項５に記載の考案は、 請求項４に記載の考案において、前記磁石は、前記リング部材の開口部を形成する略楕円形状の短軸方向の位置に一対付設される。
【考案の効果】
【００１５】
請求項１に記載の考案によれば、手が挿入可能な開口部を有する環状のプラスチック製のリング部材の作用により、手袋の着脱を容易に実行することができる。このため、手袋を頻繁に着脱する必要のある食品の販売時等に好適に使用可能となる。また、リング部材が袋部材に対して着脱自在であることから、リング部材を再利用しながら、袋部材のみを使い捨てとすることが可能となる。このため、手袋の使用コストを低減することが可能となる。
【００１６】
請求項２に記載の考案によれば、手の挿入を容易としながら、リング部材を確実に袋部材に固定することが可能となる。
【００１７】
請求項３に記載の考案によれば、簡易な構成でありながら、リング部材を容易に袋部材に対して着脱することが可能となる。
【００１８】
請求項４に記載の考案によれば、磁石の作用により手袋を金属部に固定することができる。このため、手袋が軽量であった場合においても風等により吹き飛ばされることを防止できるとともに、手袋を必要な場所に固定することが可能となる。
【００１９】
請求項５に記載の考案によれば、手袋を金属部に対して、容易かつ確実に固定することが可能となる。
【図面の簡単な説明】
【００２０】
【図１】この考案に係る手袋の、リング部材２を袋部材１に装着する前の状態を示す斜視図である。
【図２】この考案に係る手袋の、リング部材２を袋部材１に装着した後の状態を示す斜視図である。
【考案を実施するための形態】
【００２１】
以下、この考案の実施の形態を図面に基づいて説明する。図１は、この考案に係る手袋の、リング部材２を袋部材１に装着する前の状態を示す斜視図であり、図２は、この考案に係る手袋の、リング部材２を袋部材１に装着した後の状態を示す斜視図である。
【００２２】
この考案に係る手袋は、プラスチックフィルムより構成され、ミトンタイプの形状を有する使い捨ての袋部材１と、手が挿入可能な開口部を有する環状のプラスチック製のリング部材２とを備える。
【００２３】
袋部材１は、例えば、その厚さが２０μｍ乃至３０μｍ程度のポリエチレンを、親指とその他の指とをそれぞれ異なる袋部に挿入するミトンタイプの手袋形状とした構成を有する。この袋部材１の手の挿入部付近には、袋状の凹部を形成するための突出部４が、一対、形成されている。
【００２４】
一方、リング部材２は、適度の弾性と剛性とを有するポリエチレンやポリプロピレンから構成される。このリング部材２の開口部は、そこに挿入する手のひらの断面形状に対応する方向を向く略楕円状の形状を有する。そして、このリング部材２の開口部を形成する略楕円形状の頂部には、袋部材１の突出部４により形成された袋状の凹部と係合するための一対の凸部５が、開口部を形成する略楕円形状の長軸方向に形成されている。また、このリング部材２には、その開口部を形成する略楕円形状の短軸方向の位置に、一対の磁石３が付設されている。
【００２５】
この考案に係る手袋は、リング部材２における一対の凸部５と、袋部材１における一対の突出部４により形成された袋状の凹部とを係合させ、リング部材２を袋部材１における手の挿入口付近の内周面に対して装着することにより使用可能な状態となる。
【００２６】
この考案に係る手袋においては、袋部材１の手の挿入部は、リング部材２の作用により常に開口している。このため、袋部材１中に容易に手を挿入することが可能となる。そして、この袋部材１は、ミトンタイプの手袋形状を有することから、この考案に係る手袋をより容易に装着することが可能となる。
【００２７】
また、この考案に係る手袋を取り外すときにおいても、袋部材１がミトンタイプの手袋形状を有するとともに、手の挿入部がリング部材２の作用により開口していることから、袋部材１が裏返ることなく、これを手から取り外すことが可能となる。
【００２８】
そして、取り外された手袋は、磁石３の作用により、金属部に容易に固定することができる。一般的に、パンの販売店等においては、金属製のストッカー等が多用されている。このため、このストッカー等を利用することにより、手から取り外した手袋を一旦固定し、さらに、再度使用するという使い方を容易に行うことが可能となる。
【００２９】
一日、あるいは、一定期間使用した場合においては、袋部材１は使い捨てされる。このときには、リング部材２を袋部材１より取り外し、袋部材１のみを廃棄する。このように、リング部材２は再使用される。このため、上述した特許文献１のように枠を廃棄する必要はなく、袋部材１のみを使い捨てとすることができることから、手袋の使用コストを低減することが可能となる。
【符号の説明】
【００３０】
１    袋部材
２    リング部材
３    磁石
４    突出部
５    凸部
【図１】
0003157860.tif 000003
【図２】
0003157860.tif 000004